(57)【要約】【課題】デジタル一眼レフカメラの動画撮影は、レンズ、レンズマウント、カメラ姿勢制御手段に問題があり、画面ぶれ、光軸ずれ、カメラ方向のずれなどを生じ、高品質な映画を撮ることができない。【解決手段】カメラ本体５にＰＬレンズマウント１４を固定し、カメラ本体５をカメラ固定板１９の上にカメラ固定用ねじ２２で固定し、ＰＬレンズマウント１４の取付リング部９の外周下部７とカメラ固定板１９の隙間にマウント支持固定用スペーサ２０を入れ、該マウント支持固定用スペーサ２０を介して取付リング部９をカメラ固定板１９にねじ止めしたことを特徴とする。二ねじカメラ固定方式のカメラ姿勢制御手段１の２個のねじで２個のカメラ固定板固定用ねじ穴１８をねじ止めすることによりカメラ姿勢制御手段１に装着することができる。  カメラ固定板１９をカメラ固定板固定台２６の上に２箇所でねじ止めして、カメラ本体５の高さを所定の高さにすることができる。【選択図】図１１
2011150263.tif 000002
【特許請求の範囲】
【請求項１】
映画撮影用の三脚、雲台、ドリー、クレーン、モーションコントロール装置などのカメラ姿勢制御手段（１）に二ねじカメラ固定方式で装着することが可能な映画撮影装置であって、
底部にカメラ固定用ねじ穴（２）が１つ形成され、前面のマウント取付部分（３）に複数のマウント取付用ねじ穴（４）が均等に形成された、動画撮影機能を搭載したデジタル一眼レフカメラであるカメラ本体（５）と、
該カメラ本体（５）のマウント取付部分（３）に取り付けるための前記複数のマウント取付用ねじ穴（４）と対応する複数のマウント取付用貫通孔（６）が形成され、外周下部（７）にマウント支持固定用ねじ穴（８）が１個形成された取付リング部（９）と、該取付リング部（９）の前側に一定範囲内回転可能に取り付られ一定方向に回転させて内周に形成された複数の係合爪（１０）を回転させることによりＰＬマウントレンズ（１１）の付根外周に形成されている複数の係合爪（１２）と係合してＰＬマウントレンズ（１１）を着脱自在に固定させることのできる係合リング部（１３）を有したＰＬレンズマウント（１４）と、
直線上に、前記カメラ固定用ねじ穴（２）に対応したカメラ固定用貫通孔（１５）と、前記マウント支持固定用ねじ穴（８）に対応したマウント支持固定用貫通孔（１６）と、２個のねじでカメラを固定する方式のカメラ姿勢制御手段（１）の２個のねじに対応した間隔を有する２個のカメラ固定板固定用ねじ穴（１８）が配され、前記マウント支持固定用貫通孔（１６）が前端部近くに形成されているカメラ固定板（１９）と、
前記カメラ固定板（１９）の上にカメラ本体（５）を固定した際に前記取付リング部（９）の外周下部（７）とカメラ固定板（１９）との間に生じる隙間を埋めて取付リング部（９）をカメラ固定板（１９）に支持固定するためのものであり、上面は取付リング部（９）の外周下部（７）が密着して安定するよう逆Ｒ状に形成され、中央には前記マウント支持固定用貫通孔（１６）および前記マウント支持固定用ねじ穴（８）に対応した垂直の貫通孔が形成されたマウント支持固定用スペーサ（２０）とを有し、
前記カメラ本体（５）と前記ＰＬレンズマウント（１４）がマウント取付部分（３）のマウント取付用貫通孔（６）と取付リングのマウント取付用ねじ穴（４）をマウント取付用ねじ（２１）でねじ止めすることによって固定され、
該ＰＬレンズマウント（１４）およびカメラ本体（５）とカメラ固定板（１９）が、カメラ本体（５）は前記カメラ固定板（１９）の上面にカメラ固定用貫通孔（１５）とカメラ固定用ねじ穴（２）をカメラ固定用ねじ（２２）でねじ止めすることによって固定され、ＰＬレンズマウント（１４）の取付リング部（９）は前記カメラ固定板（１９）との隙間に前記マウント支持固定用スペーサ（２０）を配してマウント支持固定用貫通孔（１６）とマウント支持固定用ねじ穴（８）をマウント支持固定用ねじ（２３）でねじ止めすることによって支持固定されていることを特徴とする映画撮影装置。
【請求項２】
前記カメラ本体（５）がＰＬレンズマウント以外のレンズマウント（２４）が装着された市販のデジタル一眼レフカメラであり、該レンズマウント（２４）を取り外したうえで前記ＰＬレンズマウント（１４）を取り付けることを特徴とする請求項１記載の映画用撮影装置。
【請求項３】
前記カメラ本体（５）のボディが合成樹脂製であり、該合成樹脂製のボディに前記マウント取付用ねじ穴（４）が形成されていることを特徴とする請求項１または２記載の映画用撮影装置。
【請求項４】
前記ＰＬレンズマウント（１４）にＰＬマウントレンズ（１１）を装着したことを特徴とする請求項１，２または３記載の映画用撮影装置。
【請求項５】
二ねじカメラ固定方式のカメラ姿勢制御手段（１）である三脚、雲台、ドリー、クレーン、モーションコントロール装置のいずれか１つに、２箇所でねじ止め固定されたことを特徴とする請求項１，２，３または４記載の映画用撮影装置。
【請求項６】
前記２箇所のカメラ固定板固定用ねじ穴（１８）に対応した２個のカメラ固定板固定用ねじ（２５）を上面に配し、カメラ姿勢制御手段（１）の２個のねじに対応した間隔を有する２個のカメラ姿勢制御手段固定用ねじ穴（１８）を底面に配した、カメラ固定板固定台（２６）を有し、前記２個のカメラ固定板固定用ねじ（２５）で前記カメラ固定板固定台（２６）の上に前記カメラ固定板（１９）を固定し、カメラ姿勢制御手段（１）の２個のねじをカメラ固定板固定台固定用ねじ穴（２８）にねじ止めして前記カメラ固定板固定台（２６）を固定することにより、前記カメラ固定板固定台（２６）の底面から一定の高さに前記カメラ本体（５）を固定することができ、前記カメラ固定板（１９）の先端部とカメラ固定板固定台（２６）の先端部がほぼ同じ位置に揃っていることを特徴とする請求項１，２，３，４または５記載の映画撮影用装置。
【請求項７】
カメラ姿勢制御手段（１）側に、フォローフォーカス（２７），マットボックス（１７），レンズ支持台（２９），その他の映画撮影用アクセサリーのうち、１つまたは複数が装着可能であって、前記カメラ本体（５）の高さが、装着されたアクセサリーを使用可能な所定の高さに前記ＰＬマウントレンズ（１１）を固定できる高さであることを特徴とする請求項１，２，３，４，５または６記載の映画撮影用装置。
【発明の詳細な説明】
【技術分野】
【０００１】
本発明は、デジタル一眼レフカメラを用いて、テレビＣＭやミュージッククリップや劇映画などの本格的な映像を撮影することのできる映画撮影装置に関するものである。
【背景技術】
【０００２】
従来、映画を撮影するためには、映画撮影用のカメラ、映画撮影用のレンズ、三脚やクレーンやドリーやモーション制御装置など映画撮影用の姿勢制御手段があって、これらを使用して映画の撮影が行われていた。
一方、写真を撮影するための、写真撮影用カメラ、写真撮影用のレンズ、三脚や杖など写真撮影用の姿勢制御手段があって、これらを使用して写真の撮影が行われていた（実開平６−２８４９４号公報参照。）。
近年、デジタル技術の発達により、写真撮影用のカメラに動画撮影機能が搭載されたデジタルカメラが登場し、デジタル一眼レフカメラにも動画撮影機能が搭載されている。現在、デジタル一眼レフカメラの上位機種には、映画撮影用カメラと比べて遜色無い優れた動画撮影機能を有したものまで市場に出てきている。
デジタル一眼レフカメラの動画撮影機能は映画用カメラに匹敵するものが現われてきたが、しかし、映画として通用する質の高い映像の撮影は実際には困難であった。
その最大の原因はレンズである。写真撮影用カメラレンズでは、映画に要求される厳密なフォーカス送りや細やかなズームワークが困難であるため、本格的な映画撮影はできない。また、写真用のレンズには、映画撮影で使用される高倍率なリング式ズームレンズが用意されていない。本格的映画を撮影するためには、厳密なフォーカス送りや細やかなズームワークができ、高倍率なリング式ズームレンズが用意されているＰＬマウントレンズの使用が不可欠であるが、写真撮影用カメラのマウントと規格が異なるため、ＰＬマウントレンズをデジタル一眼レフカメラに装着することができない。
ＰＬマウントレンズをマウント規格の異なるデジタル一眼レフカメラに装着するために、レンズとカメラマウントの間を取り持つレンズアダプタがあるが、レンズアダプタを装着した場合、重いレンズを装着するとアダプタ接合によって遊びや狂いが生じ、カメラの光軸とレンズの光軸が直線にならずにずれる光軸ずれを起こす場合がある。また、アダプタ部分でのレンズとカメラの整合の不完全さが原因で、フォーカス送りの際に画面ぶれが起きる。したがって撮影方針としてそういった難点を許容できない場合はレンズアダプタは使用できない。
デジタル一眼レフカメラで映画撮影が困難なもう一つの原因は、カメラに対するマウントのねじ固定が、レンズの重量によって徐々に変形を起こし、光軸がずれてしまう点である。映画撮影に用いられるＰＬマウントレンズの中でも、大型ズームレンズなどは重量が１０ｋｇ以上、長さが５０ｃｍを超えるものもある。重量の大きなレンズを使用する場合、カメラ側マウントに大変大きな負荷が加わる。デジタル一眼レフカメラの場合、合成樹脂製のボディに形成されたねじ穴にマウントをねじ止めしているケースが多い。レンズの重量による負荷がマウントに集中し、ねじ止め部分がレンズの重みで変形し、レンズとカメラの光軸にずれを生じる原因となっている。最終的には、合成樹脂製ボディに形成されたマウント固定用ねじ穴がばかになってしまう。デジタル一眼レフカメラのボディは、映画用レンズの重量に耐えて光軸を維持し続ける強度は持ち合わせていなかった。。
もう一つの原因は、デジタル一眼レフカメラの向きを正確に一定方向に定めることが困難なためである。映画撮影では、カメラの向きを固定して変化させない撮影が求められる場合や、同じカメラワークを何度も繰り返す撮影が求められる場合がある。カメラの向きを正確に制御できなければならない。しかし、写真撮影用カメラの固定は一ネジカメラ固定方式なので、ねじを中心にカメラが台に対して回転するため、一定方向に正確にカメラの向きを固定し続けることは非常に困難である。カメラワークや、カメラやレンズの操作や、人が歩く振動などでも、微妙にカメラの向きにずれが生じてしまい、一定したアングルを正確に維持し続けることができなかった。
さらにもう一つの原因は、カメラの向きを制御するための姿勢制御手段が、デジタル一眼レフカメラ用の三脚や杖では、正確かつ精密なカメラワークは困難であり、画面ぶれを起こしてしまう点にある。映画撮影用の姿勢制御手段（映画用三脚、クレーン、ドリー、モーション制御装置など。）を使用できればよいのであるが、映画撮影用カメラの固定は前後二箇所の二ねじカメラ固定方式であり固定には太いねじを使用するので、一ねじカメラ固定方式の細いねじを使用するデジタル一眼レフカメラを固定することがそのままではできない。
また、フォローフォーカスやスライドベースなどの各種アクセサリーは映画撮影には欠かせないものだが、従来のデジタル一眼レフカメラで使用することはできなかった。各種アクセサリーを使用できるのは、カメラ姿勢制御手段が映画撮影用の二ねじカメラ固定方式のであること、レンズがＰＬマウントレンズであること、ＰＬマウントレンズを固定する高さがアクセサリーの使用に適した所定の高さに固定しなければならないことが、デジタル一眼レフカメラで利用できない原因である。映画撮影用カメラの底部からレンズマウントまでの高さが比較的あるのに対して、デジタル一眼レフカメラの場合は底部からレンズマウントまでの高さは非常に低い。各種アクセサリーはカメラ姿勢制御手段側に装着して用いられるが、映画撮影用カメラをカメラ姿勢制御手段に取り付けた場合にはレンズの高さがアクセサリーを使用可能な所定の高さに合致するように作られているため、デジタル一眼レフカメラをカメラ姿勢制御手段に取り付けた場合のレンズの高さは低すぎてしまう。
【先行技術文献】
【特許文献】
【０００３】
【特許文献１】実開平６−２８４９４号公報
【発明の概要】
【発明が解決しようとする課題】
【０００４】
解決しようとする問題点は、動画撮影機能を搭載したデジタル一眼レフカメラに、映画撮影に適したＰＬマウントレンズが使用できない点である。
また、動画撮影機能を搭載したデジタル一眼レフカメラのマウントとボディのねじ止めは、ＰＬマウントレンズの重量に耐えて光軸を維持するうえで強度が不足している点である。
また、動画撮影機能を搭載したデジタル一眼レフカメラは一ねじ固定方式であるため、ねじを中心に回転し、カメラの向きがずれてしまう点である。
また、動画撮影機能を搭載したデジタル一眼レフカメラに、二ねじ固定方式の映画撮影用姿勢制御手段を使用できない点である。
また、動画撮影機能を搭載したデジタル一眼レフカメラに、映画撮影用のフォローフォーカスやスライドベースなどの各種アクセサリーが使用できない点である。
また、上記した各問題点が総合された結果、映画として通用する高品質の映像を撮ることが困難であった点である。
【課題を解決するための手段】
【０００５】
本発明は、映画撮影用の三脚、雲台、ドリー、クレーン、モーションコントロール装置などのカメラ姿勢制御手段に二ねじカメラ固定方式で装着することが可能な映画撮影装置であって、底部にカメラ固定用ねじ穴が１つ形成され、前面のマウント取付部分に複数のマウント取付用ねじ穴が均等に形成された、動画撮影機能を搭載したデジタル一眼レフカメラであるカメラ本体と、該カメラ本体のマウント取付部分に取り付けるための前記複数のマウント取付用ねじ穴と対応する複数のマウント取付用貫通孔が形成され、外周下部にマウント支持固定用ねじ穴が１個形成された取付リング部と、該取付リング部の前側に一定範囲内回転可能に取り付られ一定方向に回転させて内周に形成された複数の係合爪を回転させることによりＰＬマウントレンズの付根外周に形成されている複数の係合爪と係合してＰＬマウントレンズを着脱自在に固定させることのできる係合リング部を有したＰＬレンズマウントと、直線上に、前記カメラ固定用ねじ穴に対応したカメラ固定用貫通孔と、前記マウント支持固定用ねじ穴に対応したマウント支持固定用貫通孔と、２個のねじでカメラを固定する方式のカメラ姿勢制御手段の２個のねじに対応した間隔を有する２個のカメラ固定板固定用ねじ穴が配され、前記マウント支持固定用貫通孔が前端部近くに形成されているカメラ固定板と、前記カメラ固定板の上にカメラ本体を固定した際に前記取付リング部の外周下部とカメラ固定板との間に生じる隙間を埋めて取付リング部をカメラ固定板に支持固定するためのものであり、上面は取付リング部の外周下部が密着して安定するよう逆Ｒ状に形成され、中央には前記マウント支持固定用貫通孔および前記マウント支持固定用ねじ穴に対応した垂直の貫通孔が形成されたマウント支持固定用スペーサとを有し、前記カメラ本体と前記ＰＬレンズマウントがマウント取付部分のマウント取付用貫通孔と取付リングのマウント取付用ねじ穴をマウント取付用ねじでねじ止めすることによって固定され、該ＰＬレンズマウントおよびカメラ本体とカメラ固定板が、カメラ本体は前記カメラ固定板の上面にカメラ固定用貫通孔とカメラ固定用ねじ穴をカメラ固定用ねじでねじ止めすることによって固定され、ＰＬレンズマウントの取付リング部は前記カメラ固定板との隙間に前記マウント支持固定用スペーサを配してマウント支持固定用貫通孔とマウント支持固定用ねじ穴をマウント支持固定用ねじでねじ止めすることによって支持固定されていることを特徴とする。
また、前記カメラ本体がＰＬレンズマウント以外のレンズマウントが装着された市販のデジタル一眼レフカメラであり、該レンズマウントを取り外したうえで前記ＰＬレンズマウントを取り付けることを特徴とする。
また、前記カメラ本体のボディが合成樹脂製であり、該合成樹脂製のボディに前記マウント取付用ねじ穴が形成されていることを特徴とする。
また、前記ＰＬレンズマウントにＰＬマウントレンズを装着したことを特徴とする。
また、二ねじカメラ固定方式のカメラ姿勢制御手段である三脚、雲台、ドリー、クレーン、モーションコントロール装置のいずれか１つに、２箇所でねじ止め固定されたことを特徴とする。
また、前記２箇所のカメラ固定板固定用ねじ穴に対応した２個のカメラ固定板固定用ねじを上面に配し、カメラ姿勢制御手段の２個のねじに対応した間隔を有する２個のカメラ姿勢制御手段固定用ねじ穴を底面に配した、カメラ固定板固定台を有し、前記２個のカメラ固定板固定用ねじで前記カメラ固定板固定台の上に前記カメラ固定板を固定し、カメラ姿勢制御手段の２個のねじをカメラ固定板固定台固定用ねじ穴にねじ止めして前記カメラ固定板固定台を固定することにより、前記カメラ固定板固定台の底面から一定の高さに前記カメラ本体を固定することができることを特徴とする。
また、カメラ姿勢制御手段側に、フォローフォーカス，マットボックス，レンズ支持台，その他の映画撮影用アクセサリーのうち、１つまたは複数が装着可能であって、前記カメラ本体の高さが、装着されたアクセサリーを使用可能な所定の高さに前記ＰＬマウントレンズを固定できる高さであることを特徴とする。
【発明の効果】
【０００６】
本発明の映画撮影装置は、カメラ本体にＰＬレンズマウントが取り付けられているので、ＰＬマウントレンズを装着することができる。
また、ＰＬレンズマウントの取付リング部をマウント固定用スペーサの上面に形成した逆Ｒの面に密着させて、カメラ固定板に固定しているので、カメラ本体のマウント取付用ねじ穴にかかる負荷を大幅に軽減することができ、大型ズームレンズの重量にも耐える強度がある。ＰＬレンズマウントに加わるレンズの荷重をカメラ固定板に逃がすことができる。そのため、レンズとカメラの光軸がずれない。
また、デジタル一眼レフカメラをカメラ固定用ねじとマウント固定用ねじの２箇所で固定するため、カメラの向きがカメラ固定板に対して常に固定されている。カメラの向きが変化することなく常に一定している。ＰＬレンズマウントの取付リングの外周下部がマウント固定用スペーサの上面に形成された逆Ｒの面に密着して固定されているため、カメラ固定板とマウント固定用スペーサと取付リング部が力学的に一体化して強度が増す効果があり、左右への動きを強固に制止できる構造となっている。
また、デジタル一眼レフカメラが固定されているカメラ固定板は、２ねじカメラ固定方式に対応した２つのカメラ固定用ねじ貫通孔を有しているので、二ねじカメラ固定方式の映画撮影用姿勢制御手段を使用することができる。
また、ＰＬマウントレンズが使用でき、二ねじカメラ固定方式の映画撮影用のカメラ姿勢制御手段が使えることで、映画撮影用のアクセサリーを利用することが可能となる。ＰＬレンズマウントの高さが、カメラ固定板をカメラ姿勢制御手段に取り付けた場合に各種アクセサリーが使用可能な高さになる場合はそのようにして取り付けることができる。しかしそれでは所定の高さより低すぎる場合は、低すぎる分を補う高さを有したカメラ固定板固定用台にカメラ固定板を取り付けた上でカメラ姿勢制御手段に取り付けることにより、ＰＬマウントレンズの高さを各種アクセサリーが使用可能となる所定の高さに固定することが可能となる。
上記した各効果が総合された結果として、映画として通用する高品質の映像を撮影することが可能となる。
【図面の簡単な説明】
【０００７】
【図１】図１は写真撮影カメラ用のレンズマウントが取り付けられた状態のデジタル一眼レフカメラをあらわす正面図。
【図２】図２は写真撮影カメラ用のレンズマウントが取り付けられた状態のデジタル一眼レフカメラをあらわす右側面図。
【図３】図３はＰＬレンズマウントが取り付けられた状態のデジタル一眼レフカメラをあらわす正面図。
【図４】図４はＰＬレンズマウントが取り付けられた状態のデジタル一眼レフカメラをあらわす右側面図。
【図５】図５はＰＬレンズマウントが取り付けられた状態のデジタル一眼レフカメラをあらわす底面図。
【図６】図６はＰＬレンズマウントの係止リング部をレンズ固定時のポジションに回転させた状態をあらわす説明図。
【図７】図７はカメラ固定板をあらわす側面図。
【図８】図８はカメラ固定板をあらわす平面図。
【図９】図９はカメラ固定板をあらわす側面図。
【図１０】図１０はマウント固定用スペーサをあらわす、（Ａ）は正面図、（Ｂ）は底面図。
【図１１】図１１はカメラ本体とＰＬレンズマウントとマウント固定用スペーサとカメラ固定板の組立てをあらわす説明図。
【図１２】図１２はカメラ本体とＰＬレンズマウントとマウント固定用スペーサとカメラ固定板が組立てられた状態をあらわす右側面図。
【図１３】図１３はカメラ本体とＰＬレンズマウントとマウント固定用スペーサとカメラ固定板が組立てられた状態をあらわす平面図。
【図１４】図１４はカメラ本体とＰＬレンズマウントとマウント固定用スペーサとカメラ固定板が組立てられた状態をあらわす底面図。
【図１５】図１５はＰＬレンズマウントの取付リング部とカメラ固定板の隙間にマウント固定用スペーサを配してねじ止めした状態ををあらわす説明図。
【図１６】図１６はＰＬマウントレンズをあらわす側面図。
【図１７】図１７はＰＬマウントレンズをあらわす背面図。
【図１８】図１８はＰＬマウントレンズをＰＬレンズマウントに装着固定した状態をあらわす右側面図。
【図１９】図１９はカメラ固定板をカメラ固定板固定台に固定する作業をあらわす右側面図。
【図２０】図２０はＰＬマウントレンズをＰＬレンズマウントに装着し、カメラ固定板をカメラ固定板固定台に固定し、カメラ固定板固定台をカメラ姿勢制御手段に取り付け、アクセサリーであるフォーカス送り用のギアを装着した状態をあらわす右側面図。
【図２１】図２１はＰＬマウントレンズをＰＬレンズマウントに装着し、カメラ固定板をカメラ固定板固定台に固定し、カメラ固定板固定台をカメラ姿勢制御手段に取り付け、アクセサリーであるフォーカス送り用のギアを装着した状態をあらわす正面図。
【図２２】図２２はＰＬマウントレンズをＰＬレンズマウントに装着し、カメラ固定板をカメラ固定板固定台に固定し、カメラ固定板固定台をカメラ姿勢制御手段の三脚に取り付け、アクセサリーであるレンズ支持台とマットボックスを装着した状態をあらわす右側面図。
【発明を実施するための形態】
【０００８】
本発明の好適実施の形態を添付図面を用いて説明する。
【０００９】
図中５はデジタル一眼レフカメラのカメラ本体である。カメラ本体５の底部にはカメラ固定用ねじ穴２が１つ形成されている。
図１，図２は市販されている状態のデジタル一眼レフカメラである。既成で取り付けられているレンズマウント２４は、ＰＬレンズマウントではない。カメラ本体５の前面のマウント取付部分３には、複数のマウント取付用ねじ穴４が均等に形成されている。
図３，図４，図５，図６は、図１，２のカメラから既成のレンズマウント２４を取り外し、ＰＬレンズマウント１４に交換したカメラである。最初のレンズマウント２４は４本のねじで合成樹脂製のボディに固定されていたが、ＰＬレンズマウント１４を固定するねじを６本に増やし、固定強度を強化している。ＰＬレンズマウント１４は取付リング部９と係合リング部１３からなる。取付リング部９は、カメラ本体５のマウント取付部分３に取り付けるための複数のマウント取付用ねじ穴４と対応する複数のマウント取付用貫通孔６が形成されており、外周下部７にはマウント支持固定用ねじ穴８が１個形成されている。係合リング部１３は、前記取付リング部９の前側に一定範囲内回転可能に取り付られており、一定方向に回転させて内周に形成された複数の係合爪１０を回転させることによりＰＬマウントレンズ１１の付根外周に形成されている複数の係合爪１２と係合してＰＬマウントレンズ１１を着脱自在に固定させることができる。ＰＬマウントレンズ１１の係合爪１２の数は通常４枚であるので、係合リング部１３の係合爪１０の数もこれと同数の４枚である。図３，図４，５の係合リング部１３は時計回りに回転させた状態をあわらし、レンズを取り外せる体勢である。図６の係合リング部１３は反時計回りに回転させた状態をあらわし、レンズを固定している体勢である。
図７，図８，図９はカメラ固定板１９である。カメラ固定板１９の直線上に、前記カメラ固定用ねじ穴２に対応したカメラ固定用貫通孔１５と、前記マウント支持固定用ねじ穴８に対応したマウント支持固定用貫通孔１６と、２個のねじでカメラを固定する方式のカメラ姿勢制御手段１の図示しない２個のねじに対応した間隔を有する２個のカメラ固定板固定用ねじ穴１８が形成されている。前記マウント支持固定用貫通孔１６は前記カメラ固定板１９の前端部近くに形成される。こうすることで、装着されたＰＬマウントレンズ１１の位置がカメラ固定板１９よりも前方になるため、カメラ固定板１９はレンズの邪魔になることはない。図では、前の方のカメラ固定板固定用ねじ穴１８はマウント支持固定用貫通孔１６とカメラ固定用ねじ穴２の間に形成され、後の方のカメラ固定板固定用ねじ穴１８はカメラ固定用ねじ穴２の後方に形成されているが、これに限定されるものではない。
図１０はマウント支持固定用スペーサ２０であり、Ａは正面、Ｂは側面をあらわしている。上面は取付リング部９の外周下部７が密着して安定するよう逆Ｒ状が形成され、中央にはマウント支持固定用ねじ２３を通すための貫通孔が垂直に設けられている。
図１１は、マウント取付用ねじ２１でＰＬレンズマウント１４をカメラ本体５に固定し、カメラ固定用ねじ２２でカメラ本体５をカメラ固定板に固定し、マウント支持固定用ねじ２３でマウント支持固定用スペーサ２０を介して取付リング部９を支持固定する組立工程をあらわしている。組立終わった状態が図１２，図１３，図１４である。図１５は、取付リング部９とマウント支持固定用スペーサ２０とカメラ固定板１９が、マウント支持固定用ねじ２３で固定されている状態をあわらす部分拡大断面図である。マウント固定用スペーサ２０を取付リング部９とカメラ固定板１９の隙間に介装してねじ止めしている。取付リング部９の外周下部７は、マウント支持固定用スペーサ２０の上面の逆Ｒに密着し安定した状態で支持固定されているため、取付リング部９が横に動くことはできない構造である。カメラ本体５は、カメラ固定用ねじ２２とマウント支持固定用ねじ２３の２箇所で固定されるので、カメラの向きが安定して固定される。
図中１１はＰＬマウントレンズである。図１６，図１７，図１８，図２０のＰＬマウントレンズ１１は単焦点レンズであり、図２２のＰＬマウントレンズ１１は大型ズームレンズである。ＰＬマウントレンズ１１のフォーカスリングは歯車になっていて、アクセサリーであるフォローフォーカス２７のフォーカス送り用の歯車と噛み合わせることができる。
図１８は、ＰＬマウントレンズ１１をＰＬレンズマウント１４に装着固定した状態をあらわしている。ＰＬレンズマウント１４の前端がカメラ固定板１９の前端部よりも前に突出しているため、カメラ固定板１９がレンズの邪魔にならない構造となっている。
図中２６は、前記カメラ本体５をカメラ固定板固定台２６の底面から一定の高さにを固定することができるカメラ固定板固定台である。カメラ固定板固定台２６の上面には前記２箇所のカメラ固定板固定用ねじ穴１８に対応した２個のカメラ固定板固定用ねじ２５を配し、底面にはカメラ姿勢制御手段１の２個のねじに対応した間隔を有する２個のカメラ姿勢制御手段固定用ねじ穴１８を配した構造である。２個のカメラ固定板固定用ねじ２５の間隔と、２個のカメラ姿勢制御手段固定用ねじ穴１８の間隔は、どちらも同じである。前記２個のカメラ固定板固定用ねじ２５で前記カメラ固定板固定台２６の上に前記カメラ固定板１９を固定する。図１９は、カメラ固定板固定台２６の２個のカメラ固定板固定用ねじ２５でカメラ固定板１９を固定する工程をあらわしている。カメラ固定板１９の先端部とカメラ固定板固定台２６の先端部をほぼ同じ位置に揃える。これは、カメラ固定板１９の先端部と同様に、カメラ固定板固定台２６の先端部も、レンズの邪魔にならないようにするためである。カメラ固定板固定台２６の底面に設けられた２個のカメラ固定板固定台固定用ねじ穴２８は、カメラ固定板固定台２６をカメラ姿勢制御手段１に図示しない２個のねじで固定するためのものである。
図１９，図２０，図２２に図示されているカメラ固定板固定台２６の後部には、モニターを設置できる台が設けられている。
図２０，図２１，図２２は、カメラ固定板固定台２６をカメラ姿勢制御手段１に取り付けた状態をあらわしている。雲台の図示しない２個のねじをカメラ固定板固定台固定用ねじ穴２８にねじ止めして固定する。この雲台は、図２２に示すような三脚の一部として用いられている場合もあるが、図示しないクレーンやドリーやモーション制御装置などの一部である場合もある。
図２０，図２１，図２２のカメラ姿勢制御手段１は、下部がスライドプレートで、該スライドプレートの上にブリッジプレートが前後方向にスライド可能に装着され、該ブリッジプレートの上に前記カメラ固定板固定台２６が装着され、前記ブリッジプレートの左右に２本のロッドが装着されている。図２２は、前記スライドプレートを三脚のヘッドに装着した状態をあらわしている。
映画撮影用の各種アクセサリーは、カメラ姿勢制御手段１のロッドを利用して取り付けるスタイルが一般的である。図２０，図２１のロッドにはフォローフォーカス２７が装着されている。図２０にあらわれた円形ハンドルを回転させることで、ギア機構を介して、ＰＬマウントレンズ１１のフォーカスリングをスムーズに回転させることができる。図２２のロッドにはレンズ支持台２９とマットボックス１７が装着されている。レンズ支持台２９は、ＰＬマウントレンズ１１の重量が大きい場合に装着してレンズを支持するためのものである。マットボックス１７はレンズ前方に配置して、フィルターを入れたり、光を遮ったりするためのものであるが、その装着方法は、レンズ前方にクリップ等で装着する場合と、図２２に示すようにロッドに支持させる場合がある。
なお、映画撮影用アクセサリーを使用する場合、フォローフォーカス２７，マットボックス１７，レンズ支持台２９，その他のアクセサリーのうち、１つを選択してもよいし、２つ以上を選択してもよい。
本発明の映画撮影装置は、二ねじカメラ固定方式であれば、三脚や雲台やクレーンやドリーやモーションコントロール装置など、どのような種類のカメラ姿勢制御手段１にでも装着可能である。
なお、カメラ固定板１９に図示された符号のない２個のねじ穴は、三脚のヘッド部のワンタッチプレートやブリッチプレートに直接カメラ固定板１９を装着する場合に使用するためのものである。
【符号の説明】
【００１０】
１    カメラ姿勢制御手段
２    カメラ固定用ねじ穴
３    マウント取付部分
４    マウント取付用ねじ穴
５    カメラ本体
６    マウント取付用貫通孔
７    外周下部
８    マウント支持固定用ねじ穴
９    取付リング部
１０    係合爪
１１    ＰＬマウントレンズ
１２    係合爪
１３    係合リング部
１４    ＰＬレンズマウント
１５    カメラ固定用貫通孔
１６    マウント支持固定用貫通孔
１７    マットボックス
１８    カメラ固定板固定用ねじ穴
１９    カメラ固定板
２０    マウント支持固定用スペーサ
２１    マウント取付用ねじ
２２    カメラ固定用ねじ
２３    マウント支持固定用ねじ
２４    レンズマウント
２５    カメラ固定板固定用ねじ
２６    カメラ固定板固定台
２７    フォローフォーカス
２８    カメラ固定板固定台固定用ねじ穴
２９    レンズ支持台
【図１】
2011150263.tif 000003
【図２】
2011150263.tif 000004
【図３】
2011150263.tif 000005
【図４】
2011150263.tif 000006
【図５】
2011150263.tif 000007
【図６】
2011150263.tif 000008
【図７】
2011150263.tif 000009
【図８】
2011150263.tif 000010
【図９】
2011150263.tif 000011
【図１０】
2011150263.tif 000012
【図１１】
2011150263.tif 000013
【図１２】
2011150263.tif 000014
【図１３】
2011150263.tif 000015
【図１４】
2011150263.tif 000016
【図１５】
2011150263.tif 000017
【図１６】
2011150263.tif 000018
【図１７】
2011150263.tif 000019
【図１８】
2011150263.tif 000020
【図１９】
2011150263.tif 000021
【図２０】
2011150263.tif 000022
【図２１】
2011150263.tif 000023
【図２２】
2011150263.tif 000024